(57)【特許請求の範囲】
【請求項１】
内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とするロータリーディスクタンブラー錠。
【請求項２】
内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、鍵孔に挿入されたときロータリーディスクタンブラーの係合突起の先端と整合するブレードの部位に、有底で所定の深さの摺り鉢形の窪みを形成し、この窪みが対応する係合突起と係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とするロータリーディスクタンブラー錠用の鍵。
【請求項３】
上記ロータリーディスクタンブラーを捩りコイルばねによって付勢するようにしたことを特徴とする請求項１記載のロータリーディスクタンブラー錠。
【発明の詳細な説明】
【０００１】
【発明の属する技術分野】
この発明は、新規なロータリーディスクタンブラー錠に関する。
【０００２】
【従来の技術】
シリンダ錠には種々の型式のものがあるが、本出願人の主力製品であり、比較的安全性が高いと認められているシリンダ錠に例えばレバータンブラー錠がある。
【０００３】
このレバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００４】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００５】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００６】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればシリンダ錠は解錠状態となって内筒５は解錠方向に回動する。
【０００７】
なお、通常のレバータンブラー錠では、複数の仕切板３、３、キーガイド１２及びテールピース１３を装着したテールプラグ１４（図１参照）を、図３に示す第１リテーナー１５及びこの第１リテーナー１５と面対称となる第２リテーナー（図示せず）を介して一体に結合して内筒５を構成する。
【０００８】
すなわち、リテーナー１５は、円筒の一部をなし、前端に抜け止めのフランジ１６を形成すると共に、その母線に沿って複数固の縦長の矩形の受入れ孔１７、１７を形成した板状体で、フランジ１６に一番近いものと遠い受入れ孔１７を除いて、各受入れ孔１７に仕切板の外周部に形成された挿入片１８（図４参照）を挿入し、反対側の図示しない第２リテーナーと共にこれら複数固の仕切板３、３を一体的に結合する。
【０００９】
そして、フランジ１６に一番近い受入れ孔１７には、キーガイド１２の外周面に形成された上記挿入片１８と同様の挿入片（図示せず）を挿入し、同様にして、リテーナー１５の内端（図３で右端）にテールプラグ１４（図１参照）を装着し、このようにして構成された内筒を外筒２と嵌合させることにより、内筒５が分解しないように包持する。
【００１０】
なお、内筒５の内端には、リテーナー１５のフランジ１６と同様の抜け止めの機能を有する蛇の目状のストッパー板１９を装着し、止め輪２１で固定する。
【００１１】
なお、図４において符号２２は各仕切板に形成されたロッキングバー６用の案内溝を示す。
【００１２】
【発明が解決しようとする課題】
上記のように構成されたレバータンブラー錠は勿論所期の機能を発揮し、特にロッキングバー６が内筒の回動時クリック感を呈するので使用感に優れ、また、ピッキングが困難であることから、住宅の扉口用の錠前として多用されている。
【００１３】
しかしながら、一方では、レバータンブラー１１の形状が略Ｃ字形であることから、剛性が比較的小さく、強い力で異鍵を回すと変形する場合が絶無であるとは言えない。
【００１４】
また、合鍵の鍵孔内に挿入される本体部（以下ブレードという）の側端縁に鍵溝を形成するから、鍵溝の形成箇所を多くすることができず、したがって鍵違いの数にも限界がある。
【００１５】
更にまた、鍵の断面形状が上下非対称であるから、ブレードの裏表に関係なく鍵孔に挿入できる所謂リバーシブルの鍵を作れない、等未だ改良の余地がある。
【００１６】
そこでこの発明は、タンブラーの剛性が大きくて丈夫であり、リバーシブルの鍵が可能であってしかも鍵違いも大きな新規なロータリーディスクタンブラー錠及びその鍵を提供することを目的としている。
【００１７】
【課題を解決するための手段】
上記の目的を達成するため、請求項１に記載の発明は、内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とする。
【００１８】
また、請求項２に記載の発明は、内周面の母線に沿って横断面形状が略Ｖ字形のカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成し、剛性を高めるため環状に成形したロータリーディスクタンブラーを挿設し、その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、鍵孔に挿入されたときロータリーディスクタンブラーの係合突起の先端と整合するブレードの部位に、有底で所定の深さの摺り鉢形の窪みを形成し、この窪みが対応する係合突起と係合したとき、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とする。
【００１９】
【実施例】
以下、この発明を図５乃至図１２を参照して説明する。
図１乃至図４に示す従来のレバータンブラー錠とこの発明によるロータリーディスクタンブラー錠との大きな違いは、タンブラーの形状が環状であること、及び、ブレードの側端縁の鍵溝の代りに合鍵の平面部及び端縁部に窪みを形成したことの２点である。
【００２０】
すなわち、図５はこの発明の一実施例によるロータリーディスクタンブラー錠のスロット７を示し、このスロット７は、従来のレバータンブラー錠のそれのように、フランジ１６付のリテーナー１５によって相互に結合された複数の仕切板３、３間に形成されている。
【００２１】
また、内筒の中心軸線に沿って形成された鍵孔４を間に挟むようにして、図５で上方には支軸２３が、下方にはバックアップピン８が、夫々内筒５を鍵孔に平行に貫通するように設けられている（図１参照）。
【００２２】
なお、図５に示すバックアップピン８の断面形状は、図１に示すものと異なり縦長の矩形の上隅部を面取りしたような形状であるが、このバックアップピン８の形状はこの発明の要旨ではなく、図１に示すように丸棒でもよい。
【００２３】
また、図５に示すような断面形状の鍵孔４には、同じ断面形状の合鍵２４が挿入されるが、これら鍵孔４或いは合鍵２４の断面形状はこの発明の要旨ではない。
【００２４】
図示の実施例で鍵孔４の横断面形状を図示のように複雑にしたのは、所謂ウォードの種類を多くして鍵違いを多くする目的の他、鍵孔４内におけるピッキング工具の操作を困難にするためである。
【００２５】
また、鍵孔４（合鍵２４）の断面形状を内筒５の中心軸線に関して点対称としたのは、合鍵の裏表に関係無く合鍵を鍵孔４に挿入できる所謂リバーシブルキーにするためである。
【００２６】
そして、この発明によるロータリーディスクタンブラー錠の施解錠操作に用いられる合鍵２４は、図６及び図７に示すように、鍵孔４に挿入される本体部（以下単にブレードという）の先端が円弧状に成形され、かつ面取りされると共に、図６に示す平面部、及び図７に示す端縁部の所定の箇所に窪み２５が形成されている。
【００２７】
この窪み２５の断面形状は、例えば図５に示すように、図面を明瞭にするためハッチングを施さない合鍵２４の断面形状において点線で示すように、また、図６及び図７に示すように、有底の逆台形であり、複数種類の深さ（図示の実施例では４種類）がある。
【００２８】
上記窪み２５の形成位置及び深さについては、後述するロータリーディスクタンブラーとの関連において後にもう一度説明する。
【００２９】
一方、図１及び図２に示す従来の所謂レバータンブラー錠、ディスクタンブラー錠、或いはピンタンブラー錠においては、ブレードの側端縁にＶ字形の鍵溝が形成されており、窪みではないことは周知の通りである。
【００３０】
なお、図５において図１及び図２と等符号を付した部分は、相互に均等な部分を示すので、更に詳細な説明は省略する。
【００３１】
他方、上記スロット７、７の夫々には、図８に示すように、中央部に鍵孔４を包囲し得る大きさの鍵挿通孔２６を形成した環状のロータリーディスクタンブラー２７が挿設されている。
【００３２】
此でロータリーディスクタンブラー２７が環状であるという意味は、鍵挿通孔２６を包囲するロータリーディスクタンブラー２７の実体部が閉曲線をなすという意味で、ロータリーディスクタンブラー２７の外形は、図示のように略円形である。
【００３３】
各ロータリーディスクタンブラー２７は、その実体部の１ヵ所（図示の実施例では上端部）を支軸２２によって揺動可能に軸支されている。
【００３４】
そして、ロータリーディスクタンブラー２７の自由端部（図８で下端部）の内側縁及び外側縁の双方とも支軸２２を中心とする円弧状に成形されている。
【００３５】
また、ロータリーディスクタンブラー２７の自由端部外側縁の所定の角度位置には、例えば矩形の解錠切欠９が形成されている。
【００３６】
この解錠切欠９の形成角度位置は、前記合鍵の窪み２５の深さに応じて、例えば４種類あり、これによってロータリーディスクタンブラー錠の鍵違いを得るようにしている。
【００３７】
更にまた、ロータリーディスクタンブラー２７の自由端部内側縁はバックアップピン８の下端を掠めるように形成され、その図８における左端部には係止段部２８が形成されている。
【００３８】
なお、この係止段部２８は、段部ではなく突起でもよいことは勿論である。
【００３９】
一方、鍵挿通孔２６の開口端縁には、図８に示すように、先端の移動軌跡が合鍵２４のブレードの平面部と干渉する係合突起２９が一体に突設されている。
【００４０】
なお、この係合突起２９は、図９に示すように、先端の移動軌跡がブレードの端縁部と干渉するように、突設位置をずらせて突設する場合もある。
【００４１】
そして、各ロータリーディスクタンブラー２７は、従来のレバータンブラー錠と同様に、薄い板ばねによるタンブラーばね３１の弾力により、その係合突起２９が合鍵２４に近接する方向に付勢されている。
【００４２】
図８及び図９に示すように鍵孔４に合鍵２４が挿入されていない場合には、各ロータリーディスクタンブラー２７の前記係止段部２８がバックアップピン８に弾接するように係止され、各ロータリーディスクタンブラー２７は図８及び図９に示す角度位置に係止される。
【００４３】
しかしながら、鍵孔４に合鍵２４が挿入され、各ロータリーディスクタンブラー２７の係合突起２９が対応する合鍵の窪み２５に係入したとき、図１０及び図１１に示すように、全ロータリーディスクタンブラー２７、２７の解錠切欠９、９がロッキングバー６の内側縁と整合するように、係合突起２９の突出量、窪み２５の深さ及び解錠切欠９の角度位置が設定されている。
【００４４】
図示の実施例では、係合突起２９の突出量を一定にしておき、換言すれば、支軸２３の中心に関し係合突起２９の先端の位置を一定にしておき、係合突起２９の先端が合鍵のブレードの窪み２５に係入してその底面に当接したとき、窪み２５の深さに応じてロータリーディスクタンブラー２７の揺動角度を変化させ、図８に示す複数の解錠切欠９、９の内選択されたものをロッキングバー６の内側縁に整合させるようにしている。
【００４５】
なお、この発明におけるロータリーディスクタンブラー錠においても、従来のレバータンブラー錠と同様に、相互に隣接するロータリーディスクタンブラー２７は、係合突起２９が左右対称になるように配設するのがよい。
【００４６】
それは、係合突起が係入する合鍵の窪み２５、２５の相互の間隔を長くし、特に窪みが深いときに隣接する窪みが干渉しないようにするためである。
【００４７】
上記のように構成されたこの発明の一実施例によるロータリーディスクタンブラー錠は、鍵孔４に合鍵２４を差込まれていない場合、或いは合鍵とは異なる異鍵を鍵孔４に挿入した場合、少なくとも１枚のロータリーディスクタンブラー２７の解錠切欠９がロッキングバー６の内側縁と角度的にずれる（図８及び図９参照）。
【００４８】
この状態で内筒５を回そうとすると、ロッキングバー６とカム溝１との間に生じる楔作用により、ロッキングバー６がカム溝１から押出されようとするが、その動きはロータリーディスクタンブラー２７の自由端部外側縁に阻止されて内筒５を回すことはできない。すなわち、このロータリーディスクタンブラー錠は解錠されない。
【００４９】
一方、鍵孔４に合鍵２４が挿入された場合には、前記したように、また、図１０及び図１１に示すように、全ロータリーディスクタンブラー２７、２７の解錠切欠９、９がロッキングバーの内側縁と整合する。
【００５０】
この状態で内筒を回すと、従来のレバータンブラー錠と同様に、内筒５と外筒２との相互回動によるロッキングバー６の内筒中心軸線方向の移動が可能になり、このロータリーディスクタンブラー錠は解錠されることになる。
【００５１】
なお、合鍵及び異鍵を鍵孔に挿入するとき、ブレードの窪みが無い部分が係合突起２９と係合し、係合突起２９が鍵孔４から退避する場合でも、図１２に示すように、鍵挿通孔２６が鍵孔４と干渉しないように、その大きさ及び開口位置が設定されているものとする。
【００５２】
また、図８及び図９に示す施錠状態では、内筒を回そうとする力はロッキングバー６を上方に押上げる方向に作用するので、ロータリーディスクタンブラー２７とバックアップピン８との間の摩擦を無くして前者の揺動を円滑にするため図示のように両者の間に隙間を設ける場合には、この力は支軸２３に担持されることになる。
【００５３】
それはそれで作動上問題はないが、この力を分散してバックアップピン８にも担持させようとする場合には、選択された、或いは全ロータリーディスクタンブラー２７の支軸２３と嵌合する支軸孔を例えば上下に長い長穴とするのがよい。
【００５４】
この場合、ロータリーディスクタンブラー２７がロッキングバー６から力を受けた場合、ロータリーディスクタンブラー２７が上方に移動する結果、その自由端部がバックアップピン８に当接して負荷はバックアップピンに担持される。
【００５５】
なお、この発明は、図示の実施例に限定されることなく、種々に変形して実施することが可能である。
【００５６】
例えば、以上の説明では、図９及び図１１に示すブレードの端縁部の窪み２５を探るロータリーディスクタンブラー２７を、ブレードの平面部の窪みを探るものと同じに用いるものとしたが、ブレードの端縁は薄くて窪みの深さの種類が例えば２種類しか採れないので、これを別の用途に用いるとキープランが容易になる。
【００５７】
すなわち、図７に示すブレードの端縁部に形成された窪み２５、２５を探るタイプのロータリーディスクタンブラー２７、２７のみを有するロータリーディスクタンブラー錠を例えばマンションの共通扉口に設け、上記ブレードの端縁部に形成された窪みを探るタンブラーを共通に組込んで、ブレードの平面部の窪みを探るタンブラーを違えて鍵違いとしたものを居住者用の錠前とする。
【００５８】
すると、各居住者は自己の部屋と共通扉口の錠前を一つの合鍵で解錠することができ、所謂逆マスターキー装置を構成することができる。
【００５９】
この場合、ブレードの平面部から逆マスターキー装置用にタンブラーを間引きしなくてもよいので、換言すれば、平面部に形成された窪みに対応するロータリーディスクタンブラーを全て居住者用の鍵違いに用いることができるので、居住者用の鍵違いが大幅に増大する。
【００６０】
これに対し、従来の錠前、例えばレバータンブラー錠やディスクタンブラー錠でも逆マスターキー装置を構成することは可能であるが、従来の錠前では鍵違いに用いるべきタンブラーを逆マスターキー装置用に振替えるので、居住者用の鍵違いが減少するのである。
【００６１】
また、以上の説明では、ロータリーディスクタンブラー２７の係合突起２９の突出量を一定にし、合鍵の窪みの深さに応じてタンブラーの揺動角度を変えるようにしたが、これは、係合突起２９の突出量を窪み２５の深さに応じて変化させるようにしてもよい。
【００６２】
このとき、例えば窪み２５が深いときに係合突起２９の突出量を大きくすれば、窪みの深さが変ってもタンブラーの揺動角度を同一にできるので、解錠切欠９（図８参照）の角度位置を同一にしても、図示の実施例によるロータリーディスクタンブラー錠と同数の鍵違いを得ることができる。
【００６３】
図１３は請求項１に記載の発明の他の実施例を示し、この実施例は、支軸２３の位置を内筒中心軸から離間させる方向に移動させ、この支軸２３とロッキングバー６との間の距離を稼いで、合鍵２４の断面形状の長い方を垂直にして鍵孔４に挿入できるように、換言すれば、合鍵を所謂縦差しするようにしたものである。
【００６４】
なお、図１３において他の図と等符号を付した部分は、相互に均等な部分を示す。
【００６５】
このように構成することにより、少なくとも錠前の種類を倍増することができるばかりでなく、顧客の好みに応じ、人間工学的に操作し易い錠前を選択させることができる。
【００６６】
また、支軸２３と解錠切欠９との距離が増大するので、係合突起２９の形成位置を支軸２３に近接する方向に移動させれば、窪み２５の深さの僅かの変化でも解錠切欠９の移動距離を大きくすることができ、合鍵の識別感度を向上させることができる、という別の利点が生じる。
【００６７】
図１４は請求項３に記載の発明の一実施例によるロータリーディスクタンブラー錠を示し、この実施例は、支軸２３に関しバックアップピン８とは反対側にこれらと平行にばね支軸３２を設け、各ロータリーディスクタンブラー２７を、捩りコイルばねとしてのタンブラーばね３１により付勢するようにしたものである。
【００６８】
この場合、各タンブラーばね３１のコイル部をばね支軸３２に巻装するようにし、このコイル部に接続される開脚ばねの先端を相互に反対方向、かつ紙面方向に折り曲げ、タンブラーばね３１が狭いスロット７内に収容できるようにする。
【００６９】
タンブラーばね３１を捩りコイルばねにしてそのコイル部にばね支軸３２を挿通させれば、従来のタンブラーばね３１（図８及び図９参照）のように細長いばね板の一端を丸めてロータリーディスクタンブラー２７の同形の穴に嵌め込む装着方法に較べ、タンブラーばねが外れてロータリーディスクタンブラー錠が作動不良になることを完全に防止できる。
【００７０】
【発明の効果】
以上の説明から明らかなように、この発明は、タンブラーの形状を環状にしたので、従来のレバータンブラー錠と比較してタンブラーの剛性を格段に向上させることができ、錠前としての強度及び安全性を向上させることができる。
【００７１】
また、従来のレバータンブラー錠における合鍵と異なり、ブレードの端縁部に形成されたＶ字形の鍵溝ではなく、窪みの深さによって鍵違いを得るようにしたので、一の窪み２５と隣接する他の窪み２５の間隔を従来の鍵溝間のそれより短くすることができる。
【００７２】
換言すれば、規格によって外形寸法に制約がある内筒においてタンブラーの数を増大させることができ、その分鍵違いを多くすることができる。例えば、従来のレバータンブラー錠には高々７枚のタンブラーしか入らなかったが、この発明によるロータリーディスクタンブラー錠においては１１枚入る（図６参照）。
【００７３】
更にまた、ブレードの平面部だけではなく端縁部にも窪みを形成することができ、この端縁部の窪みを利用して例えばマンションの共通扉口に於ける逆マスターキー装置を構成すれば、居住者用の鍵違いを従来のものと比較して格段に多くすることができる。
【００７４】
また、ロータリーディスクタンブラーの係合突起の突出量を一定にする場合でも、或いは変化させる場合でも、窪みの深さに応じてその中心位置をブレードの幅方向、或いはブレードの端縁部の幅方向において微妙に変化させなくてはならないので、合鍵の複製が困難になり、錠前としての安全性が向上する、等種々の効果を奏する。
【図面の簡単な説明】
【図１】従来のレバータンブラー錠の一例を示す縦断面図。
【図２】その横断面図。
【図３】リテーナーの外観斜視図。
【図４】仕切板の正面図。
【図５】この発明の一実施例によるロータリーディスクタンブラー錠の縦断面図でタンブラーを外した状態を示す。
【図６】この発明の一実施例によるロータリーディスクタンブラー錠の合鍵の平面図。
【図７】この発明の一実施例によるロータリーディスクタンブラー錠の合鍵の側面図。
【図８】この発明の一実施例によるロータリーディスクタンブラー錠の横断面図で、合鍵のブレードの平面部に当接する係合突起を設けたタンブラーを装着した状態を示す。
【図９】この発明の一実施例によるロータリーディスクタンブラー錠の横断面図で、合鍵のブレードの端縁部に当接する係合突起を設けたタンブラーを装着した状態を示す。
【図１０】図８と同様のロータリーディスクタンブラー錠の横断面図で、鍵孔に合鍵が挿入された状態を示す。
【図１１】図９と同様のロータリーディスクタンブラー錠の横断面図で、鍵孔に合鍵が挿入された状態を示す。
【図１２】図８と同様のロータリーディスクタンブラー錠の横断面図で、鍵孔に合鍵が挿入され、かつ係合突起の先端がブレードの表面に乗った状態を示す。
【図１３】請求項１に記載の発明の他の実施例によるロータリーディスクタンブラー錠の図８と同様の横断面図。
【図１４】請求項３に記載の発明の一実施例によるロータリーディスクタンブラー錠の図８と同様の横断面図。
【符号の説明】
１  カム溝
２  外筒
３  仕切板
４  鍵孔
５  内筒
６  ロッキングバー
７  スロット
８  バックアップピン
９  解錠切欠
１１  レバータンブラー
１２  キーガイド
１４  テールプラグ
１５  リテーナー
１６  フランジ
１７  受入れ孔
１８  挿入片
１９  ストッパー板
２１  止め輪
２２  案内溝
２３  支軸
２４  合鍵
２５  窪み
２６  鍵挿通孔
２７  ロータリーディスクタンブラー
２８  係止段部
２９  係合突起
３１  タンブラーばね
３２  ばね支軸
【図１】
0004008302.tif 000002
【図２】
0004008302.tif 000003
【図３】
0004008302.tif 000004
【図４】
0004008302.tif 000005
【図５】
0004008302.tif 000006
【図６】
0004008302.tif 000007
【図７】
0004008302.tif 000008
【図８】
0004008302.tif 000009
【図９】
0004008302.tif 000010
【図１０】
0004008302.tif 000011
【図１１】
0004008302.tif 000012
【図１２】
0004008302.tif 000013
【図１３】
0004008302.tif 000014
【図１４】
0004008302.tif 000015